(57)【要約】【課題】本発明は、電池監視部が撓むことを防止することができ、信頼性の高い蓄電装置を提供する。【解決手段】本発明の蓄電装置は、二次電池と、前記二次電池を監視する電池監視部と、前記電池監視部を収容する保護ケースと、前記二次電池、前記電池監視部及び前記保護ケースを収容する筐体とを備え、前記電池監視部は、電子部品を実装した電子回路基板を含み、かつ、前記保護ケース中に固設され、前記筐体は、前記二次電池を収容する容器と、前記容器上に配置された中蓋と、前記中蓋上に配置された上蓋とを備え、前記保護ケースは、前記保護ケースの縁部に配置された複数の固定部により前記中蓋上に固設され、前記中蓋は、前記上蓋に向かう突起部を有し、前記突起部は、前記保護ケースの底部を支えるように設けられたことを特徴とする。【選択図】図４
2018049746.tif 000002
【特許請求の範囲】
【請求項１】
二次電池と、前記二次電池を監視する電池監視部と、前記電池監視部を収容する保護ケースと、前記二次電池、前記電池監視部及び前記保護ケースを収容する筐体とを備え、
前記電池監視部は、電子部品を実装した電子回路基板を含み、かつ、前記保護ケース中に固設され、
前記筐体は、前記二次電池を収容する容器と、前記容器上に配置された中蓋と、前記中蓋上に配置された上蓋とを備え、
前記保護ケースは、前記保護ケースの縁部に配置された複数の固定部により前記中蓋上に固設され、
前記中蓋は、前記上蓋に向かう突起部を有し、
前記突起部は、前記保護ケースの底部を支えるように設けられたことを特徴とする蓄電装置。
【請求項２】
前記突起部は、２つの固定部の間において前記保護ケースの底部を支えるように設けられた請求項１に記載の蓄電装置。
【請求項３】
前記突起部の形状は、筒状である請求項１又は２に記載の蓄電装置。
【請求項４】
前記保護ケースの底部の大きさは、前記突起部の前記底部を支える部分の大きさの２倍以上６倍以下である請求項１〜３のいずれか１つに記載の蓄電装置。
【請求項５】
前記保護ケースは、内部が密閉空間となるように設けられた請求項１〜４のいずれか１つに記載の蓄電装置。
【請求項６】
前記二次電池は、電池端子を有し、
前記中蓋は、前記中蓋を貫通するスリット及び前記中蓋上に配置された配線端子を有し、
前記電池端子は、前記スリットを通るように設けられ、かつ、前記配線端子と接続する請求項１〜５のいずれか１つに記載の蓄電装置。
【発明の詳細な説明】
【技術分野】
【０００１】
本発明は、蓄電装置に関する。
【背景技術】
【０００２】
近年、電池は、様々な用途に用いられ、特に大容量の二次電池は、電気自動車用電源や電力貯蔵などの用途に用いられている。
二次電池を単電池で使用すると、機器が必要とする電圧よりも二次電池の電圧が低い場合がある。このような場合、複数の二次電池を直列に接続し供給電圧を所望の電圧まで高くする必要がある。また、単電池では機器が必要とする電気量を十分に供給できない場合がある。このような場合、複数の二次電池を並列に接続し供給電気量を所望の量まで大きくする必要がある。
【０００３】
このため、直列又は並列に接続した複数の二次電池を筐体に収容した蓄電装置から機器に電力を供給している。また、この複数の二次電池を監視する電池監視ユニット（BMU）を内蔵した蓄電装置が知られている（例えば、特許文献１参照）。BMUは、通常、各電池の電圧などを測定し、充・放電時の過充電、過放電を検出する。また、BMUは、各電池の電圧バランスを維持する機能も有することができる。通常、BMUは、電子部品を実装した電子回路基板である。
【先行技術文献】
【特許文献】
【０００４】
【特許文献１】特開２０１５−８１２１号公報
【発明の概要】
【発明が解決しようとする課題】
【０００５】
蓄電装置に内蔵されたBMUの取り付けられた電子回路基板が撓むと電子回路基板に取り付けられている電子部品にクラックが生じBMUが故障する場合がある。特に、蓄電装置に振動が多く加わるような使い方をする場合は、小さな撓みが電子回路基板の共振を引き起こすこととなり好ましくない。
本発明は、このような事情に鑑みてなされたものであり、電池監視部が撓むことを防止することができ、信頼性の高い蓄電装置を提供する。
【課題を解決するための手段】
【０００６】
本発明は、二次電池と、前記二次電池を監視する電池監視部と、前記電池監視部を収容する保護ケースと、前記二次電池、前記電池監視部及び前記保護ケースを収容する筐体とを備え、前記電池監視部は、電子部品を実装した電子回路基板を含み、かつ、前記保護ケース中に固設され、前記筐体は、前記二次電池を収容する容器と、前記容器上に配置された中蓋と、前記中蓋上に配置された上蓋とを備え、前記保護ケースは、前記保護ケースの縁部に配置された複数の固定部により前記中蓋上に固設され、前記中蓋は、前記上蓋に向かう突起部を有し、前記突起部は、前記保護ケースの底部を支えるように設けられたことを特徴とする蓄電装置を提供する。
【発明の効果】
【０００７】
本発明の蓄電装置は、二次電池と、二次電池を監視する電池監視部と、二次電池及び前記電池監視部を収容する筐体とを備えるため、電池監視部により二次電池を監視しながら充放電することができ、蓄電装置の安全性を向上させることができる。また、二次電池と電池監視部とを筐体内で電気的に接続することができ、蓄電装置を小型化することや部品数を低減することができる。
前記電池監視部は電子部品を実装した電子回路基板を含むため、蓄電装置に含まれる二次電池の過充電や過放電を検出することが可能である。
本発明の蓄電装置は電池監視部を内部に収容し筐体内に収容される保護ケースを備えるため、筐体内の二次電池を収容するスペースと電池監視部を収容するスペースとを分離することができる。このため、二次電池の液漏れが生じた場合でも、漏れ出た電解液が電池監視部を収容した保護ケース内に浸入することを抑制することができ、電池監視部が損傷することを抑制することができる。
【０００８】
前記筐体は、二次電池を収容する容器と、前記容器上に配置された中蓋と、中蓋上に配置された上蓋とを備えるため、中蓋を配線盤として機能させることができ、中蓋に配置された配線を介して二次電池と電池監視部とを電気的に接続することができる。
電池監視部は保護ケース中に固設され、保護ケースは保護ケースの縁部に配置された複数の固定部により中蓋上に固設されるため、中蓋と上蓋との間の位置に保護ケース及び電池監視部を固設することができる。
前記中蓋は上蓋に向かう突起部を有し、突起部は保護ケースの底部を支えるように設けられるため、突起部により中蓋と保護ケースとの間にスペースを確保することができ、このスペースにおいて、二次電池の電池端子と、中蓋に設けられた配線端子とを接続させることが可能になる。また、中蓋と保護ケースの間にスペースができることにより、中蓋に水や電解液がたまった場合でも、電池監視部を収容した保護ケース内に水や電解液が浸入することを抑制することができる。さらに、突起部が保護ケースの底部を支えるため、保護ケース及び電池監視部の中央部が中蓋側に撓むことを抑制することができる。このことにより、電池監視部に含まれる電子部品にクラックが生じることを抑制することができ、蓄電装置の信頼性を向上させることができる。
【図面の簡単な説明】
【０００９】
【図１】本発明の一実施形態の蓄電装置の概略斜視図である。
【図２】本発明の一実施形態の蓄電装置に含まれる中蓋の概略上面図である。
【図３】本発明の一実施形態の蓄電装置に含まれる中蓋、保護ケース及び電池監視部の概略上面図である。
【図４】図１〜３の破線Ａ−Ａにおける蓄電装置の概略断面図である。
【発明を実施するための形態】
【００１０】
本発明の蓄電装置は、二次電池と、前記二次電池を監視する電池監視部と、前記電池監視部を収容する保護ケースと、前記二次電池、前記電池監視部及び前記保護ケースを収容する筐体とを備え、前記電池監視部は、電子部品を実装した電子回路基板を含み、かつ、前記保護ケース中に固設され、前記筐体は、前記二次電池を収容する容器と、前記容器上に配置された中蓋と、前記中蓋上に配置された上蓋とを備え、前記保護ケースは、前記保護ケースの縁部に配置された複数の固定部により前記中蓋上に固設され、前記中蓋は、前記上蓋に向かう突起部を有し、前記突起部は、前記保護ケースの底部を支えるように設けられたことを特徴とする。
【００１１】
前記筐体の中蓋に設けられた突起部は、２つの固定部の間において保護ケースの底部を支えるように設けられたことが好ましい。このことにより、突起部により保護ケースの底部の中央部を支えることができ、保護ケースが撓むことを抑制することができる。
前記筐体の中蓋に設けられた突起部の形状は、筒状であることが好ましい。このことにより、底部の広範囲を突起部により支えることができ、突起部により保護ケースの底部を安定して支えることができる。
前記保護ケースの底部の大きさは、突起部の前記底部を支える部分の大きさの２倍以上６倍以下であることが好ましい。このことにより、突起部により保護ケースの底部を安定して支えることができる。
【００１２】
前記保護ケースは、内部が密閉空間となるように設けられたことが好ましい。このことにより、二次電池の液漏れが生じた場合でも、漏れ出た電解液が電池監視部を収容した保護ケース内に浸入することを防止することができる。
前記二次電池は電池端子を有することが好ましく、前記中蓋は中蓋を貫通するスリット及び中蓋上に配置された配線端子を有することが好ましく、前記電池端子はスリットを通るように設けられかつ配線端子と接続することが好ましい。このことにより、中蓋に設けられた配線と二次電池とを電気的に接続することができる。
【００１３】
以下、図面を用いて本発明の一実施形態を説明する。図面や以下の記述中で示す構成は、例示であって、本発明の範囲は、図面や以下の記述中で示すものに限定されない。
【００１４】
図１は本実施形態の蓄電装置の概略斜視図である。図２は、本実施形態の蓄電装置に含まれる中蓋の概略上面図であり、上蓋、電池監視部及び保護ケースを取り外した状態の本実施形態の蓄電装置の概略上面図である。図３は、本実施形態の蓄電装置に含まれる中蓋、保護ケース及び電池監視部の概略上面図であり、上蓋を取り外した状態の本実施形態の蓄電装置の概略上面図である。図４は、図１〜３の破線Ａ−Ａにおける蓄電装置の概略断面図である。
本実施形態の蓄電装置４０は、二次電池２と、二次電池２を監視する電池監視部３と、電池監視部３を収容する保護ケース４と、二次電池２、電池監視部３及び保護ケース４を収容する筐体１とを備え、電池監視部３は、電子部品１１を実装した電子回路基板を含み、かつ、保護ケース４中に固設され、筐体１は、二次電池２を収容する容器５と、容器５上に配置された中蓋６と、中蓋６上に配置された上蓋７とを備え、保護ケース４は、保護ケース４の縁部に配置された複数の固定部９により中蓋６上に固設され、中蓋６は、上蓋７に向かう突起部８を有し、突起部８は、保護ケース４の底部１０を支えるように設けられたことを特徴とする。
以下、本実施形態の蓄電装置４０について説明する。
【００１５】
１．蓄電装置
本実施形態の蓄電装置４０は、例えば、自動車の電源、自動二輪車の電源、太陽光発電の蓄電、バックアップ電源などに用いられる蓄電装置である。また、蓄電装置４０は、密閉型蓄電装置又は車載用蓄電装置であってもよい。
【００１６】
２．二次電池
蓄電装置４０は、筐体１に収容された少なくとも１つの二次電池２を備える。二次電池２は、筐体１中に収容された密閉型電池であってもよい。筐体１に収容された複数の二次電池２は、並列接続されていてもよく、直列接続されていてもよい。また、複数の二次電池２は、配線により電気的に接続されてもよく、隣接する２つの電池２の電池端子３８を接触又は接合させることにより電気的に接続されてもよい。
【００１７】
二次電池２は、例えば、リチウムイオン電池、ナトリウムイオン電池、ニッケル・水素電池、ニッケル・カドミウム電池等である。また、二次電池２は、角型であってもよく、円筒型であってもよく、パウチ型であってもよい。また、二次電池２は、正極活物質を有する正極２１と、負極活物質を有する負極２２と、正極２１と負極２２とに挟まれたセパレータ２３と、非水電解質２４と、正極２１と負極２２とセパレータ２３と非水電解質２４とを収容する電池容器２５とを備えることができる。また、二次電池２は電池端子３８（プラス端子又はマイナス端子）を有する。
【００１８】
３．筐体
蓄電装置４０は、二次電池２、電池監視部３及び保護ケース４を収容する筐体１を備える。筐体１は密閉構造を有することができる。また、筐体１の材料は、硬質プラスチックなどのプラスチックであってもよい。
筐体１は、少なくとも１つの二次電池２を収容する容器５と、容器５上に配置された中蓋６と、中蓋６上に配置された上蓋７とを備えることができる。これらの筐体１を構成する部材を接着する前に容器５中に少なくとも１つの二次電池２を入れることにより、密閉構造を有する筐体１中に少なくとも１つの二次電池２を収容することができる。
【００１９】
中蓋６は、蓄電装置４０の外部接続端子２７と二次電池２とを電気的に接続する配線１６又は二次電池２と電池監視部３とを電気的に接続する配線１６が設けられた配線盤として機能することができる。
また、中蓋６は、二次電池２の電池端子３８が貫通するスリット３７を有することができ、電池端子３８は、スリット３７を通るように設けることができ、中蓋６の上面に設けられた電池側の配線端子部１８と接合することができる。このことにより、中蓋６に設けられた配線１６と二次電池２とを電気的に接続することができる。
中蓋６は、上蓋７に向かう突起部８を有する。なお、突起部８の説明については後述する。
【００２０】
筐体１を構成する各部材は、筐体１の内部が密閉空間となるように接着することができる。このことにより、筐体１内に水などが浸入することを防止することができ、蓄電装置４０の安全性及び寿命特性を向上させることができる。筐体１を構成する各部材は、例えば、接着剤により接着することができる。なお、筐体１を構成する２つの部材は、一方の部材に設けられた凸部３６を他方の部材に設けられた凹部に組み合わせ、凸部３６と凹部とを接着することにより接合することができる。
筐体１は、安全弁を備えてもよい。このことにより、二次電池２において発生したガスが筐体１内に放出され筐体１の内部圧力が上昇した場合でも、安全弁からガスを筐体１の外部に放出することができる。
【００２１】
４．電池監視部
電池監視部３は、少なくとも１つの二次電池２を監視する部分である。電池監視部３は、プリント基板１２に電子部品１１を実装した電子回路基板を含む。また、電池監視部３は、保護ケース４に収容される。電池監視部３は、ヒューズ３４又はリレーを含むことができる。また、電池監視部３は、二次電池２又は外部接続端子２７と電気的に接続することができる。このことにより、電池監視部３により二次電池２を監視することができる。
電池監視部３は、保護ケース４中に固設される。このことにより、筐体１中において電池監視部３が動き電池監視部３が損傷することを防止することができる。
【００２２】
電池監視部３は、各電池２の電圧を測定するように設けることができる。また、電池監視部３は、各電池２のプラス端子及びマイナス端子（電池端子３８）とそれぞれ電気的に接続することができる。また、電池監視部３は、電池２の電圧測定の結果に基づき過充電を検出するように設けることができる。また、電池監視部３は、少なくとも１つの電池２の過充電を検出するとヒューズ３４又はリレーにより電池２と外部接続端子２７との接続を切る信号を出力するように設けることができる。このことにより、少なくとも１つの電池２に過充電が生じたときに強制的に電流を遮断することができ、蓄電装置４０の安全性を向上させることができる。
電池監視部３は、電池２の過放電を検出するように設けてもよく、筐体１内の温度を測定するように設けてもよく、過電流を検出するように設けてもよい。また、電池監視部３は、容器５に収容した複数の電池２の電圧のバランスを保つように設けることができる。このことにより、複数の電池２の電圧のアンバランスにより生じる電池２のダメージを軽減することができ、蓄電装置４０の寿命特性を向上させることができる。なお、電池監視部３は、各電池２に対応したバランサーを有することができる。
【００２３】
５．保護ケース、固定部、突起部
保護ケース４は、電池監視部３を収容するケースであり、筐体１に収容される。このため、筐体１内の電池２を収容するスペースと電池監視部３を収容するスペースとを分離することができる。この構成により、電池２の液漏れが生じた場合でも、漏れ出た電解液が電池監視部３を収容した保護ケース４内に浸入することを抑制することができ、電池監視部３が損傷することを抑制することができる。このため、蓄電装置４０の安全性を向上させることができる。保護ケース４の材料は、例えば、硬質プラスチックである。
保護ケース４は、内部が密閉空間となるように設けることができる。このことにより、電池２の液漏れが生じた場合でも、漏れ出た電解液が電池監視部３を収容した保護ケース４内に浸入することを防止することができる。
蓄電装置４０は、保護ケース４と上蓋７とで挟持された弾性部材１９を備えることができる。この弾性部材１９により、保護ケース４の内部を密封することができ、保護ケース４の内部を密閉空間とすることができる。
保護ケース４は、保護ケース４の縁部に配置された複数の固定部９により中蓋６上に固設される。固定部９は、保護ケース４を固定する部分であり、端子部材１４、配線端子部１７、ボルト３１及びナット３２を含む部分であってもよく、ボルト３１又はねじにより保護ケース４及びプリント基板１２を締め付けた部分であってもよい。
【００２４】
保護ケース４は、保護ケース４の内部から外部に導出されているＢＭＵ接続用端子部材１４を複数備えることができる。
各端子部材１４は、保護ケース４の内部に配置された内部端子部と、保護ケース４の外部に配置された外部端子部と、保護ケース４を貫通する貫通部と、貫通部と外部端子部との間に設けられた導電部とを備える。
端子部材１４の内部端子部は、保護ケース４に収容された電池監視部３に接続することができる。例えば、内部端子部と電池監視部３ははんだ付けにより接続してもよい。
端子部材１４の外部端子部は、中蓋６上に設けられたＢＭＵ側の配線端子部１７に接続することができる。また、外部端子部は、配線端子部１７に重着されてもよい。例えば、外部端子部及び配線端子部１７はそれぞれボルト挿入孔を有することができる。このことにより、ボルト３１とナット３２の締め付け力により外部端子部と配線端子部１７とを密着させ電気的に接続することができる。
また、配線端子部１７と端子部材１４を介して保護ケース４を中蓋６に固設することができる。この場合、端子部材１４、配線端子部１７、ボルト３１及びナット３２が固定部９となる。
【００２５】
端子部材１４の貫通部は、端子部材１４が保護ケース４を貫通する部分である。貫通部は、端子部材１４と保護ケース４とを、金属‐樹脂一体成型することにより形成することができる。また、端子部材１４と保護ケース４とが接触した部分は、端子部材１４の表面の微細孔内に保護ケース４を構成するプラスチックが入り込むことにより接合することができる。このことにより、端子部材１４を保護ケース４に固定することができる。また、保護ケース４の密閉性を向上させることができる。さらに、配線端子部１７と端子部材１４を介して保護ケース４を中蓋６に固設することができる。
端子部材１４は、板状である。従って、金属板を板金加工することにより端子部材１４を作製することができる。また、端子部材１４は、剛性を有することができる。このことにより、配線端子部１７と端子部材１４を介して保護ケース４を中蓋６に固設することができる。
従って、複数の端子部材１４を設けることにより、複数の固定部９を形成することができる。これらの複数の固定部９により保護ケース４を中蓋６上に固設することができる。これらの複数の固定部９は、保護ケース４の縁部に配置することができる。このことにより、ボルト３１とナット３２の締め付け力により端子部材１４の外部端子部と配線端子部１７とを密着させることが容易になる。
例えば、図３では、６つの端子部材１４ａ〜１４ｆが設けられており、６つの固定部９ａ〜９ｆにより保護ケース４が中蓋６上に固設されている。
【００２６】
また、ボルト３１又はねじの締め付けにより、中蓋６上に保護ケース４及びプリント基板１２を固設してもよい。この場合、ボルト３１又はねじにより保護ケース４及びプリント基板１２を締め付けた箇所が固定部３１となる。このことにより、保護ケース４内に電池監視部３を固設できると共に保護ケース４を中蓋６上に固設することができる。また、このような固定部３１を複数設けることができる。この固定部９は、保護ケース４の縁部に配置することができる。このことにより、保護ケース４内にプリント基板１２をしっかり固設することができ、プリント基板１２が動くことを抑制できる。
例えば、図３では、ボルト３１ｇ〜３１ｉを設けた３つの固定部９ｇ〜９ｉにより保護ケース４及びプリント基板１２が中蓋６上に固設されている。
このように、保護ケース４の縁部に設けた複数の固定部９で保護ケース４を固設すると、保護ケース４の中央部が撓む場合がある。保護ケース４が撓むと、プリント基板１２も撓むことになり、プリント基板１２に搭載した電子部品１１にクラックなどが発生する場合がある。
【００２７】
筐体１に含まれる中蓋６は、上蓋７に向かう突起部８を有する。また、突起部８は、保護ケース４の底部１０を支えるように設けられる。この突起部８により、保護ケース４の底部１０を支えることができ、保護ケース４及びプリント基板１２の中央部が中蓋６側に撓むことを抑制することができる。このことにより、プリント基板１２に搭載した電子部品１１にクラックが生じることを抑制することができる。また、突起部８は、保護ケース４の底部１０に接触するように設けることができる。また、保護ケース４は、保護ケース４が突起部８と上蓋７とで挟持されるように設けてもよい。
また、突起部８を設けることにより、中蓋６と保護ケース４との間にスペースを確保することができ、このスペースにおいて、二次電池２の電池端子３８と、中蓋６に設けられた電池側の配線端子部１８とを接続させることが可能になる。例えば、図２に示したように、複数のスリット３７を中蓋６に設けることができる。また、中蓋６と保護ケース４の間にスペースができることにより、中蓋６に水や電解液がたまった場合でも、電池監視部３を収容した保護ケース４内に水や電解液が浸入することを抑制することができる。
突起部８の高さは、蓄電装置４０の大きさや筐体１を構成する樹脂の強度などに応じて適宜決めることができる。突起部８の高さは、特に限定されないが、例えば、１ｍｍ以上４ｍｍ以下とすることができる。
【００２８】
突起部８は、２つの固定部９の間において保護ケース４の底部１０を支えるように設けることができる。このことにより、突起部８により保護ケース４の底部１０の中央部を支えることができ、保護ケース４が撓むことを抑制することができる。突起部８を設ける位置は、電子回路基板が載った保護ケース４の中心又は重心を含んでいることが好ましい。このことにより、撓む部分を必ず支えることができる。また、突起部８は、プリント基板１２の中央部と重なるように設けることができる。
突起部８の形状は、筒状であってもよい。例えば、突起部８の形状は、角筒形状であってもよく、円筒形状であってもよい。このことにより、底部１０の広範囲を突起部８により支えることができ、突起部８により保護ケース４の底部１０を安定して支えることができる。また、中蓋６の突起部８を設けた面の反対側の面を平らにすることができ、配線などを容易に設けることができる。また、突起部８の形状を筒状にすることで材料を減らすことができ、蓄電装置４０の重量を減らすことができる。また、万が一、中蓋６に電解液等がたまってしまっても、中蓋６と保護ケース４との間の空間を大きくとれる。
なお、突起部８の形状は、隙間や穴を有する筒状であってもよい。突起部８の形状は、すべてつながっている筒状のほうがよいが、部分的に切れている筒状であってもよい。すべて繋がっている方がより安定するので好ましい。また、突起部８の形状は、上側に開口を有する筒状であってもよい。
突起部８の形状が筒状である場合、突起部８は、電子回路基板が載った保護ケース４の中心又は重心を囲むように設けることが好ましい。このことにより、撓む部分を支えることができる。
突起部８は、例えば、図２、図４に示した蓄電装置４０のように角筒形状に設けることができる。
【００２９】
保護ケース４の底部１０の大きさは、突起部８の底部１０を支える部分の大きさ３９の２倍以上６倍以下であってもよい。このことにより、突起部８により保護ケース４の底部１０を安定して支えることができる。突起部８の保護ケース４の底部１０を支える部分の大きさ３９とは、突起部で囲われた内部の面の大きさのことであり、例えば、図２に示した一点鎖線で囲んだ範囲の大きさである。
突起部８の大きさ３９が大きすぎると、中蓋６と保護ケース４との間のスペースが狭くなる。また、筒状の突起部８の大きさ３９が大きすぎると、突起部８の内部は空間になっているので、蓄電装置４０に振動した際に保護ケース４に収容した電子回路基板の中心付近が共振をおこすおそれがある。
突起部８の大きさ３９が小さすぎると、保護ケース４の底部１０を支える部分の面積が小さくなりすぎ、保護ケース４を安定して支えることができなくなるおそれがある。
【００３０】
振動試験
突起部８の大きさ３９が異なる４つの蓄電装置Ａ〜Ｄを作製した。蓄電装置Ａは、保護ケース４の底部１０の大きさが突起部８の大きさ３９の１．５倍となるように作製し、蓄電装置Ｂは、保護ケース４の底部１０の大きさが突起部８の大きさ３９の２倍となるように作製し、蓄電装置Ｃは、保護ケース４の底部１０の大きさが突起部８の大きさ３９の６倍となるように作製し、蓄電装置Ｄは、保護ケース４の底部１０の大きさが突起部８の大きさ３９の７倍となるように作製した。その他の構成は、図１〜４に示した蓄電装置と同様の構成とした。
なお、突起部８は、図２、４のように角筒形状とし、突起部８の高さは約２ｍｍとした。
蓄電装置Ａ、Ｄの振動試験では、蓄電装置に振動を与えた際に保護ケース４の底に共振が現れた。
また、蓄電装置Ｂ、Ｃの振動試験では、蓄電装置に振動を与えた際に保護ケース４の底に共振がほとんど現れなかった。
従って、突起部８の大きさ３９を２倍以上６倍以下とすることにより保護ケース４の底の共振を抑制することができることがわかった。
【符号の説明】
【００３１】
１：筐体    ２、２ａ、２ｂ：二次電池    ３：電池監視部    ４：保護ケース    ５：容器    ６：中蓋    ７：上蓋    ８：突起部    ９、９ａ〜９ｉ：固定部    １０：底部    １１、１１ａ〜１１ｏ：電子部品    １２：プリント基板    １４、１４ａ〜１４ｆ：ＢＭＵ接続用端子部材    １５：隔壁    １６：配線    １７、１７ａ〜１７ｆ：配線端子部（ＢＭＵ側）    １８、１８ａ〜１８ｅ：配線端子部（電池側）    １９：弾性部材    ２１：正極    ２２：負極    ２３：セパレータ    ２４：非水電解質    ２５：電池容器    ２７、２７ａ、２７ｂ：外部接続端子    ２８、２８ａ〜２８ｆ：ボルト挿入孔    ３１、３１ａ〜３１ｉ：ボルト    ３２：ナット    ３４：ヒューズ    ３６：接合用凸部    ３７、３７ａ〜３７ｅ：スリット    ３８、３８ａ〜３８ｅ：電池端子    ３９：突起部の保護ケースの底部を支える部分の大きさ    ４０：蓄電装置
【図１】
2018049746.tif 000003
【図２】
2018049746.tif 000004
【図３】
2018049746.tif 000005
【図４】
2018049746.tif 000006